(57)【特許請求の範囲】
【請求項１】
ウェアラブル機器を着脱可能な眼鏡フレームであって、ヨロイ部に折り畳み可能に結合されたテンプル部を有する眼鏡フレームにおいて、
前記テンプル部の、上面および下面の少なくとも一方に、前記テンプル部の長手方向に沿って延在する、前記ウェアラブル機器を挿脱可能な溝を有することを特徴とする機器装着用眼鏡フレーム。
【請求項２】
前記溝は、前記テンプル部の上面および下面に前記テンプル部の長手方向に沿ってそれぞれ延在する上面溝および下面溝である請求項１に記載の機器装着用眼鏡フレーム。
【請求項３】
前記上面溝および前記下面溝は、互いに上下対称に構成されている請求項２に記載の機器装着用眼鏡フレーム。
【請求項４】
前記溝が左右両方のテンプル部に設けられ、互いに左右対称に構成されている請求項１、２または３のいずれか一項に記載の機器装着用眼鏡フレーム。
【請求項５】
前記溝の前記テンプル部に位置する２つの端部のうち、少なくとも一方の端部が開口している請求項１〜４のいずれか一項に記載の機器装着用眼鏡フレーム。
【請求項６】
前記溝の前記テンプル部に位置する２つの端部のうち、前記ヨロイ部側の端部が開口し、
前記テンプル部が装着者の耳に掛けられるように開いた状態で、
前記開口は、前記ヨロイ部によって閉塞される請求項５に記載の機器装着用眼鏡フレーム。
【請求項７】
前記溝の前記テンプル部に位置する２つの端部のうち、前記ヨロイ部側の端部が開口し、
前記テンプル部が装着者の耳に掛けられるように開いた状態で、
前記溝が前記テンプル部の長手方向に沿って前記ヨロイ部まで連続して延在する請求項５に記載の機器装着用眼鏡フレーム。
【請求項８】
前記テンプル部が装着者の耳に掛けられるように開いた状態で、
前記溝の前記テンプル部および前記ヨロイ部の長手方向に位置する２つの端部のうち、少なくとも一方の端部が開口している請求項７に記載の機器装着用眼鏡フレーム。
【請求項９】
前記溝の深さは、前記テンプル部の長手方向に向かって変化する請求項１〜８のいずれか一項に記載の機器装着用眼鏡フレーム。
【請求項１０】
前記溝の幅は、前記テンプル部の長手方向に向かって変化する請求項１〜９のいずれか一項に記載の機器装着用眼鏡フレーム。
【発明の詳細な説明】
【技術分野】
【０００１】
本発明は、ウェアラブル機器を着脱可能な機器装着用眼鏡フレームに関するものである。
【背景技術】
【０００２】
近年、ウェアラブル機器として、眼鏡フレームに装着可能な画像表示装置や、小型カメラ等が提案されている。このようなウェアラブル機器を眼鏡フレームに装着する方法として、例えば特許文献１に示されるように、眼鏡にアタッチメントを取り付けておき、そのアタッチメントに機器を取り付けることで機器を装着する方法や、例えば特許文献２に示されるように、機器自体にクリップを設け、このクリップで眼鏡フレームを挟むことにより機器を装着する方法などが知られている。
【先行技術文献】
【特許文献】
【０００３】
【特許文献１】特開２０１０−９１７４８号公報
【特許文献２】特開２００８−２４４６５８号公報
【発明の概要】
【発明が解決しようとする課題】
【０００４】
しかしながら、特許文献１に示された方法は、眼鏡フレームのテンプル部に突起状のアタッチメントをビスで固定し、このアタッチメントに機器を固定するものであり、装着が煩雑で、しかも機器を外したときにアタッチメントが見えてしまい、眼鏡フレームの外観を損ねてしまうことが懸念される。
【０００５】
また、特許文献２に示された方法は、機器側に設けられたクリップ状の取り付け部材を用いて眼鏡フレームを挟み込むものであるが、眼鏡フレームに取り付けるクリップはある程度大きさが必要であり、機器を装着した状態においてもクリップが目立ち、外観を損ねてしまうことが懸念される。さらに、取り付け位置が定まらないために、機器を適切な位置に装着することが難しく、装着後に調整作業が必要となるおそれがある。加えて、クリップでは、使用時の不意な接触等で容易に取り付け状態がズレたり、脱落したりするおそれもある。
【０００６】
したがって、かかる点に鑑みてなされた本発明の目的は、眼鏡フレームへのウェアラブル機器の確実な装着が容易で、かつ装着部が目立たない機器装着用眼鏡フレームを提供することにある。
【課題を解決するための手段】
【０００７】
上記課題を解決するため、本発明の要旨構成は以下の通りである。
（１）ウェアラブル機器を着脱可能な眼鏡フレームであって、ヨロイ部に折り畳み可能に結合されたテンプル部を有する眼鏡フレームにおいて、前記テンプル部の、上面および下面の少なくとも一方に、前記テンプル部の長手方向に沿って延在する、前記ウェアラブル機器を挿脱可能な溝を有することを特徴とする機器装着用眼鏡フレーム。
【０００８】
（２）前記溝は、前記テンプル部の上面および下面に前記テンプル部の長手方向に沿ってそれぞれ延在する上面溝および下面溝である上記（１）に記載の機器装着用眼鏡フレーム。
【０００９】
（３）前記上面溝および前記下面溝は、互いに上下対称に構成されている上記（２）に記載の機器装着用眼鏡フレーム。
【００１０】
（４）前記溝が左右両方のテンプル部に設けられ、互いに左右対称に構成されている上記（１）、（２）または（３）のいずれか一に記載の機器装着用眼鏡フレーム。
【００１１】
（５）前記溝の前記テンプル部に位置する２つの端部のうち、少なくとも一方の端部が開口している上記（１）〜（４）のいずれか一に記載の機器装着用眼鏡フレーム。
【００１２】
（６）前記溝の前記テンプル部に位置する２つの端部のうち、前記ヨロイ部側の端部が開口し、前記テンプル部が装着者の耳に掛けられるように開いた状態で、前記開口は、前記ヨロイ部によって閉塞される上記（５）に記載の機器装着用眼鏡フレーム。  
【００１３】
（７）前記溝の前記テンプル部に位置する２つの端部のうち、前記ヨロイ部側の端部が開口し、前記テンプル部が装着者の耳に掛けられるように開いた状態で、前記溝が前記テンプル部の長手方向に沿って前記ヨロイ部まで連続して延在する上記（５）に記載の機器装着用眼鏡フレーム。
【００１４】
（８）前記テンプル部が装着者の耳に掛けられるように開いた状態で、前記溝の前記テンプル部および前記ヨロイ部の長手方向に位置する２つの端部のうち、少なくとも一方の端部が開口している上記（７）に記載の機器装着用眼鏡フレーム。
【００１５】
（９）前記溝の深さは、前記テンプル部の長手方向に向かって変化する上記（１）〜（８）のいずれか一に記載の機器装着用眼鏡フレーム。
【００１６】
（１０）前記溝の幅は、前記テンプル部の長手方向に向かって変化する上記（１）〜（９）のいずれか一に記載の機器装着用眼鏡フレーム。
【発明の効果】
【００１７】
本発明によれば、ウェアラブル機器を眼鏡フレームに容易に着脱することができ、眼鏡フレームからのウェアラブル機器の脱落を確実に防止することができ、かつウェアラブル機器の装着状態および非装着状態での見栄えを損なうことのない機器装着用の眼鏡フレームを提供することができる。
【図面の簡単な説明】
【００１８】
【図１】本発明の第一実施形態に従う機器装着用眼鏡フレームを示す模式図である。
【図２】本発明の第一実施形態に従う機器装着用眼鏡フレームにウェアラブル機器を取り付けた状態の模式図である。
【図３】本発明の第二〜第五実施形態に従う機器装着用眼鏡フレームに設けられる溝の形状の例を説明するための模式図である。
【図４】本発明の第六実施形態に従う機器装着用眼鏡フレームを示す模式図である。
【図５】本発明の第七実施形態に従う機器装着用眼鏡フレームを示す模式図である。
【発明を実施するための形態】
【００１９】
以下、本発明に従う機器装着用眼鏡フレームの実施形態について図面を参照しながら説明する。
図１は本発明の第一実施形態に従う機器装着用眼鏡フレーム１００を示す模式図であり、図１(a)は眼鏡フレーム１００の平面図を示し、図１(b)は眼鏡フレーム１００の正面図を示し、図１(c)は眼鏡フレーム１００の、ウェアラブル機器２００が装着される側の側面図を示す。
【００２０】
図１(a)に示すように、機器装着用眼鏡フレーム１００は、フロント部１１０、テンプル部１２０およびこれらを連結するヨロイ部１３０を具え、ヨロイ部１３０は、テンプル部１２０を折り畳み可能にフロント部１１０に結合する。図１(a)〜(c)において、機器装着用眼鏡フレーム１００は、テンプル部１２０の上面１２０ａおよび下面１２０ｂに、テンプル部１２０の長手方向に沿ってそれぞれ延在する上面溝１２１および下面溝１２２を有する。
【００２１】
上面溝１２１のテンプル部１２０の長手方向に位置する２つの端部１２１ａ，ｂのうち、ヨロイ部１３０側の端部１２１ａが開口し、図１(a)に示すように、テンプル部１２０が装着者の耳に掛けられるように開いた状態で、上面溝１２１がテンプル部１２０の長手方向に沿ってヨロイ部１３０まで連続して延在する。そして、この状態で、上面溝１２１のテンプル部１２０およびヨロイ部１３０の長手方向に位置する２つの端部１２１ｃ，ｂのうち、ヨロイ部１３０側の端部１２１ｃが開口している。なお、図示はしていないが、下面溝１２２についても同様の構成とする。したがって、図１(b)に示すように、ヨロイ部１３０の断面形状は略Ｈ字型となっている。これにより、眼鏡を装着した状態においてもウェアラブル機器２００を前方から取り付けることが可能となる。加えて、図１(c)に示すように、溝がテンプル部１２０の上下面に形成されているため、側面からは溝が見えず。外観上通常の眼鏡フレームと何ら変わらない。
【００２２】
なお、ウェラブル機器２００としては、眼鏡フレームに装着して画像光を眼球に導光し、表示画像を虚像として拡大観察するような頭部装着型表示装置や、撮像装置を眼鏡フレームに取り付けることで、ハンズフリーで撮影できるような頭部装着型撮像装置、または音声出力装置や行動状態をセンシングするようなセンサユニットなど様々な機器が適用可能である。
【００２３】
図２は、本発明の第一実施形態に従う機器装着用眼鏡フレームにウェアラブル機器を取り付けた状態の模式図であり、図２(a)は眼鏡フレームのウェアラブル機器が装着される側の半部の平面図を示し、図２(b)は眼鏡フレームのウェアラブル機器が装着される側の半部の正面図を示す。
【００２４】
図２(a),(b)に示すように、テンプル部１２０の上面溝１２１および下面溝１２２にウェアラブル機器２００側の取付部２００ａの突起が合わさるように後方にスライドさせることで、簡単に取り付けができる。このとき、取り付けられる角度や向きなどが常に一定であるため、取り付け後の調整もほとんど不要である。
【００２５】
また、上面溝１２１の形状および下面溝１２２の形状を、互いに上下対称に構成すれば、ウェアラブル機器２００を共通の取付部２００ａで左右いずれの溝にも装着することができる。例えば、左側のテンプル部に装着されていたウェアラブル機器２００の取付部２００ａを取り外して上下を逆にし、右側のテンプル部に装着することができる。
【００２６】
図３は、本発明の機器装着用眼鏡フレーム１００に設けられる上面溝１２１の形状の例を示す模式図である。なお、図面には上面溝１２１のみが示されるが、図示されない下面溝１２２についても同様の構成とすることができる。図３(a)は第二実施形態に従う上面溝１２１の平面図を示す。図３(a)に示すように、本発明の第二実施形態に従う機器装着用眼鏡フレーム１００に設けられる上面溝１２１は、テンプル部１２０の厚み方向の略中央部に等幅の上面溝１２１を有する。図３(a)において、上面溝１２１のテンプル部１２０の長手方向に位置する２つの端部１２１ａ，ｂはいずれも開口していない。この上面溝１２１により、ウェアラブル機器を、その取付部の突起が合わさるように嵌め込むことで装着することができる。溝の深さと突起の高さが最適に設定されているため着脱しやすく、かつ通常使用時の脱落も防止することができる。
【００２７】
図３(b)は第三実施形態に従う溝の平面図を示す。図３(b)に示すように、本発明の第三実施形態に従う機器装着用眼鏡フレーム１００に設けられる上面溝１２１は、テンプル部１２０に等幅の上面溝１２１を有する。図３(b)において、上面溝１２１のテンプル部１２０の長手方向に位置する２つの端部１２１ａ，ｂのうち、ヨロイ部１３０側の端部１２１ａが開口している。なお、図３(b)に示した構成において、テンプル部１２０のウェアラブル機器装着部は、外側に突出した形状となっているため、端部１２１ａはヨロイ部１３０によって閉塞されない。この例によれば、開口した端部１２１ａによりウェアラブル機器の挿脱がさらに容易になり、眼鏡フレーム１００を装着者が装着したままで、ウェアラブル機器を取り付けおよび取り外しが容易に可能である。
【００２８】
図３(c)は第四実施形態に従う溝の平面図を示す。図３(c)に示すように、本発明の第四実施形態に従う機器装着用眼鏡フレーム１００に設けられる上面溝１２１の幅は、テンプル部１２０の長手方向に向かって変化する。図３(c)において、上面溝１２１の幅は、ヨロイ部１３０側で広く、ヨロイ部１３０側から離れる方向に徐々に減少するため、ウェアラブル機器をヨロイ部１３０側から離れる方向にスライドさせることによって取付部材の押圧力が強くなり、ウェアラブル機器の固定が確実になる。
【００２９】
図３(d)は図３(a)〜(c)に示す溝が設けられた部分の断面形状を示す。
また、図３(e)は第五実施形態に従う上面溝１２１および下面溝１２２の側面図であり、本発明の第五実施形態に従う機器装着用眼鏡フレーム１００に設けられる上面溝１２１および下面溝１２２の深さは、テンプル部１２０の長手方向に向かって変化する。図３(e)において、上面溝１２１および下面溝１２２の深さは、ヨロイ部１３０側で深く、ヨロイ部１３０側から離れる方向に徐々に浅くなるため、ウェアラブル機器をヨロイ部１３０側から離れる方向にスライドさせることによって取付部材の押圧力が強くなり、ウェアラブル機器の固定が確実になる。なお、上面溝１２１および下面溝１２２の深さは、少なくとも一方の深さを変化させることで、上述した効果を得ることが可能である。
【００３０】
図４は、本発明の第六実施形態に従う機器装着用眼鏡フレームを示す模式図であり、図４(a)はウェアラブル機器２００が取り付けられる前のテンプル部１２０が開いた状態を示す平面図であり、図４(b)はウェアラブル機器２００が取り付けられる前のテンプル部１２０が閉じた状態を示す平面図であり、図４(c)はウェアラブル機器２００が取り付けられた後のテンプル部１２０が開いた状態を示す平面図である。
【００３１】
図４(a)〜(c)に示すように、本発明の第六実施形態に従う機器装着用眼鏡フレームは、上面溝１２１のテンプル部１２０の長手方向に位置する２つの端部１２１ａ，ｂのうち、ヨロイ部１３０側の端部１２１ａが開口し、図４(a),(c)に示すように、テンプル部１２０が装着者の耳に掛けられるように開いた状態で、開口１２１ａは、ヨロイ部１３０によって閉塞される。
【００３２】
ウェアラブル機器２００の取り付け方法としては、図４(b)に示すように、テンプル部１２０を折り畳むことでテンプル１２０の上面溝１２１の開口１２１ａが開き、ウェアラブル機器２００を上面溝１２１に取り付けることができる。次に、図４(c)に示すように、テンプル部１２０が装着者の耳に掛けられるように開いた状態で、テンプル部１２０の上面溝１２１の開口１２１ａがヨロイ部１３０によって塞がれ、ウェアラブル機器２００の取り外しをロックすることができる。これにより、着脱が容易でありながら、使用状態のときには脱落しない機構が実現できる。さらに、上述した実施形態におけるものと同様に、ウェアラブル機器２００を取り付けていない状態では、これらの機構は目立つものではなく、外観上は通常の眼鏡フレームと同様である。
【００３３】
図５は、本発明の第七実施形態に従う機器装着用眼鏡フレームを示す模式図であり、図５(a)および図５(b)は、それぞれウェアラブル機器が取り付けられる前のテンプル部の斜視図および断面図を示し、図５(c)および図５(d)は、それぞれウェアラブル機器が取り付けられた後のテンプル部の斜視図および断面図を示す。なお、図５(c)および図５(d)には、説明のため、ウェアラブル機器に一体に設けられている取付部２００ａが図示されている。
【００３４】
図５(a),(c)に示すように、本発明の第七実施形態に従う機器装着用眼鏡フレームは、溝が設けられたテンプル部に機能性と装飾性が付加されている。特に、図５(b),(d)に示すように、上面溝１２１および下面溝１２２の外側の溝壁を内側の溝壁よりも低くすることで、ウェアラブル機器の取付部をテンプル部に取り付けたときに、取付部の高さとテンプル部の高さとを等しくして一体的なデザインとすることができる。これにより、ウェアラブル機器を取り付けても眼鏡フレームの外観が損なわれることがない。また、図５(a),(c)に示すように、外側の溝壁の挿入先端部を鋭角に構成することで、ウェアラブル機器の装着がより容易になる。
【００３５】
本発明は、上記実施形態にのみ限定されるものではなく、幾多の変形または変更が可能である。例えば、図面には上面溝および下面溝をいずれも設ける構成しか示されていないが、いずれか一方を設けるだけでも、本発明の効果を達成することが可能である。特に、下面溝のみでウェアラブル機器を装着する場合には、ウェアラブル機器が脱落することのないよう、溝の口部よりも溝の底部を広くする等の構成とするのが有効である。また、左右両方のテンプル部に溝を設け、左右どちらにでも装着可能とする場合だけでなく、ウェアラブル機器が装着される側のみに溝を設けることもできる。さらに、左右両方のテンプル部に溝を設けた場合には、左右のテンプル部の溝を使い、左右両側にウェアラブル機器を装着することも可能であり、例えば右側には頭部装着型表示装置を装着し、左側には撮像装置を装着し、頭部装着型表示装置を撮像装置のファインダーとして利用することもできる。
【符号の説明】
【００３６】
１００  機器装着用眼鏡フレーム
１１０  フロント部
１２０  テンプル部
１３０  ヨロイ部
２００  ウェアラブル機器
【図１】
0005501910.tif 000002
【図２】
0005501910.tif 000003
【図３】
0005501910.tif 000004
【図４】
0005501910.tif 000005
【図５】
0005501910.tif 000006